(57)【要約】      （修正有）【課題】  所定のタイミングでフォースリミッタ荷重を変更することができて乗員の慣性エネルギを更に好適に吸収することができ、しかもこれを簡単で小型の構造により実現することができるウエビング巻取装置を得る。【解決手段】  車両急減速時にロック部材１８のウエビング引出方向の回転が阻止されると、トーションバー２２によるエネルギ吸収が果たされる。さらにこの際には、ワイヤ５６がスプール１４の回転に伴って収容溝２８と収容孔３０の出口部分においてしごかれ、スプール１４側面の収容溝２８に沿って巻き取られながら、スプール１４が回転する。したがって、トーションバー２２の捩り荷重に加えてワイヤ５６のしごき荷重がフォースリミッタ荷重としてウエビング１６（乗員）に作用し、適切なエネルギー吸収が果たされる。しかも、当該ワイヤ３２巻付け部分において装置がスプール軸線方向に大型化することがない。【選択図】      図２
2006205822.tif 000002
【特許請求の範囲】
【請求項１】
ウエビングが巻取り引出しされる筒状のスプールと、
前記スプールの一端側に前記スプールと同軸的でかつ相対回転可能に設けられ、車両急減速時にはフレームに係合してウエビング引出方向回転が阻止されるロック部材と、
一端が前記ロック部材に係止された状態で前記ロック部材と前記スプールとの間に掛け渡されると共に前記スプール内に移動可能に挿入して配置され、前記ロック部材のウエビング引出方向回転阻止状態では、前記スプールのウエビング引出方向回転に伴って前記スプールに巻き取られながら前記スプールの前記ロック部材に対する相対回転に抗する荷重を付与するワイヤと、
を備えたウエビング巻取装置。
【請求項２】
前記スプールの前記ロック部材側の端面には、前記ワイヤを収容する収容溝が形成され、前記ワイヤは前記収容溝に沿って巻き取られる、
ことを特徴とする請求項１記載のウエビング巻取装置。
【請求項３】
前記スプールの前記ワイヤ巻取り部分に、前記ワイヤとの間で摺動摩擦抵抗を生じる摺動摩擦抵抗材を設けた、ことを特徴とする請求項１または請求項２記載のウエビング巻取装置。
【発明の詳細な説明】
【技術分野】
【０００１】
本発明は、ウエビング巻取装置に係り、特にウエビングの引出しを阻止するときに、ウエビングの引出しを許容してエネルギーを吸収することができるウエビング巻取装置に関する。
【背景技術】
【０００２】
ウエビング巻取装置では、ウエビングの引き出しを阻止する際に、ウエビングの引き出しを所定量許容して、エネルギーの吸収を図ることが行われている（所謂、フォースリミッタ機構）。このエネルギー吸収機構としては、例えば、スプールとこれと同軸的にトーションバーを配置した構成のものが一般的であるが、この種のウエビング巻取装置では、エネルギー吸収時のフォースリミッタ荷重（ウエビングに付加される荷重）はトーションバーの材料物性値及び寸法形状等に一義的に支配され、その作動開始から終了時点まで一定の値しか採ることができなかった。
【０００３】
そこで、所定のタイミングでフォースリミッタ荷重を変更して乗員の慣性エネルギーを更に好適に吸収することができるように、前記エネルギー吸収時においてウエビングの引出しに抗する更なる荷重を付与する荷重付与手段を備えたものが提案されている（一例として、特許文献１参照）。
【０００４】
前記特許文献に示されたウエビング巻取装置では、一端がスプールに連結されたトーションバーの他端部（エネルギー吸収時に回転が阻止される側の端部）にプレート体（回転部材）を一体に設けると共に、このプレート体にワイヤを係止した構成となっており、前記エネルギー吸収時にはスプールの回転によってワイヤをプレート体に巻き付けることで、更なる荷重を付与してエネルギー吸収するようになっている。
【０００５】
しかしながら、このような従来のウエビング巻取装置では、トーションバーの他端部に連結されたプレート体（回転部材）等の特別な部品やその配置スペースが不可欠であり、しかもこのプレート体にワイヤを巻き付ける構成であるため、装置がスプール軸線方向に大型化する欠点があった。またしかも、プレート体（すなわち、エネルギー吸収時に回転が阻止される部材）にワイヤを単に巻き付けるだけの構成であるため、当該プレート体とワイヤとの間に基本的には摺動摩擦抵抗が生じず（ワイヤ自体の屈曲抵抗しか生じず）、更なるエネルギー吸収荷重の設定の自由度が小さい（所謂、チューニングができ難い）欠点もあった。
【特許文献１】特開２００３−３４１４７３号公報
【発明の開示】
【発明が解決しようとする課題】
【０００６】
本発明は上記事実を考慮し、所定のタイミングでフォースリミッタ荷重を変更することができて乗員の慣性エネルギを更に好適に吸収することができ、しかもこれを簡単で小型の構造により実現することができるウエビング巻取装置を得ることが目的である。
【課題を解決するための手段】
【０００７】
請求項１に係る発明のウエビング巻取装置は、ウエビングが巻取り引出しされる筒状のスプールと、前記スプールの一端側に前記スプールと同軸的でかつ相対回転可能に設けられ、車両急減速時にはフレームに係合してウエビング引出方向回転が阻止されるロック部材と、一端が前記ロック部材に係止された状態で前記ロック部材と前記スプールとの間に掛け渡されると共に前記スプール内に移動可能に挿入して配置され、前記ロック部材のウエビング引出方向回転阻止状態では、前記スプールのウエビング引出方向回転に伴って前記スプールに巻き取られながら前記スプールの前記ロック部材に対する相対回転に抗する荷重を付与するワイヤと、を備えている。
【０００８】
なお、請求項１に記載したワイヤとは、容易に変形しない（例えば、自重や人力によっては変形しない）棒状の部材を含むものである。
【０００９】
請求項１記載のウエビング巻取装置では、通常は、ウエビングの巻取り引出しが自由とされる。ここで、例えば、車両衝突時等の車両急減速時に所定の加速度（減速度）が検知されると、ロック部材のウエビング引出方向の回転が阻止される。このとき、例えば、ウエビング引張力がスプールを介してトーションバー等にウエビング引出し方向の回転力として作用し、当該トーションバー等によるエネルギ吸収が果たされる。
【００１０】
またさらに、スプールがロック部材に対して相対回転する際には、ワイヤがスプールの回転に伴ってスプール出口部（ロック部材とスプールとの間の掛け渡し部分）においてしごかれ、スプールに巻き取られながら（スプールの相対回転に抗する荷重を付与しながら）スプールが回転する。
【００１１】
したがって、前述のトーションバー等の捩り荷重に加えてワイヤのしごき荷重がフォースリミッタ荷重としてウエビング（乗員）に作用する。すなわち、トーションバー等の捩り荷重のみによって得られるフォースリミッタ荷重よりも大きなフォースリミッタ荷重が得られ、ウエビング引出速度（スプール回転速度）を低く押さえて適切なエネルギー吸収が果たされる。
【００１２】
ここで、請求項１記載のウエビング巻取装置では、スプール自体にワイヤを巻き付ける構成であるため、従来の如くワイヤを巻き付けるための特別な部品やその配置スペースが不要であり、当該ワイヤ巻付け部分において装置がスプール軸線方向に大型化することがない。
【００１３】
またしかも、スプール（すなわち、エネルギー吸収時に回転する部材）にワイヤを巻き付ける構成であるため、当該スプールとワイヤとの間には摺動摩擦抵抗が生じる。このため、ワイヤ自体の屈曲抵抗のみならずスプールとの間の摺動摩擦抵抗をもエネルギー吸収荷重として利用（適用）することができ、更なるエネルギー吸収荷重の設定の自由度が大きくなる（所謂、チューニング等がし易くなる）。
【００１４】
このように、請求項１に係る発明のウエビング巻取装置では、所定のタイミングでフォースリミッタ荷重を変更することができて乗員の慣性エネルギを更に好適に吸収することができ、しかもこれを簡単で小型の構造により実現することができる。
【００１５】
請求項２に係る発明のウエビング巻取装置は、請求項１記載のウエビング巻取装置において、前記スプールの前記ロック部材側の端面には、前記ワイヤを収容する収容溝が形成され、前記ワイヤは前記収容溝に沿って巻き取られる、ことを特徴としている。
【００１６】
請求項２記載のウエビング巻取装置では、ワイヤを収容する収容溝を単にスプールに形成するだけで構成することができ、特別な巻取りスペースが不要でしかも他の部品の配置スペースを侵食することがない。
【００１７】
請求項３に係る発明のウエビング巻取装置は、請求項１または請求項２記載のウエビング巻取装置において、前記スプールの前記ワイヤ巻取り部分に、前記ワイヤとの間で摺動摩擦抵抗を生じる摺動摩擦抵抗材を設けた、ことを特徴としている。
【００１８】
上記のウエビング巻取装置では、スプール（すなわち、エネルギー吸収時に回転する部材）にワイヤを巻き付ける構成であるため、当該スプールとワイヤとの間には摺動摩擦抵抗が生じ、ワイヤ自体の屈曲抵抗のみならずスプールとの間の摺動摩擦抵抗をもエネルギー吸収荷重として利用（適用）することができるが、この点、請求項３記載のウエビング巻取装置では、スプールのワイヤ巻取り部分に摺動摩擦抵抗材が設けられているため、当該摺動摩擦抵抗材の種類や設置範囲等を適宜に設定することで、スプールとの間の摺動摩擦抵抗を最適なものにすることができ、更なるエネルギー吸収荷重の設定の自由度が大きくなる（所謂、チューニング等がし易くなる）。
【００１９】
一例として、前記摺動摩擦抵抗材によって、摺動摩擦抵抗（エネルギー吸収荷重）を、ワイヤがスプール内から全量抜け出して全量巻き取られる直前において徐々に減少するように構成することが可能となる。
【００２０】
ここで、例えばエアバッグ装置を備えた車両においては、エアバッグと乗員との接触直前にフォースリミッタ荷重を減少することによって乗員に作用する荷重を減じることが可能で乗員の傷害をさらに軽減することができるが、前述の如きワイヤのしごきによる荷重付与の解除が瞬間的に行なわれると、仮に組付け誤差等に起因して、フォースリミッタ荷重が減少する以前にエアバッグが展開してしまう可能性がある。
【００２１】
これに対し、前述の如く構成すれば、ワイヤのしごきによる荷重の付与が全て解除される以前に仮に組付け誤差等に起因してエアバッグが展開してしても、フォースリミッタ荷重を減少させて乗員に作用する荷重を減じることができ乗員の傷害を一層確実に軽減することができる。
【００２２】
このように、請求項３に係る発明のウエビング巻取装置では、簡単な構造により所定のタイミングでフォースリミッタ荷重を変更することができ、乗員の慣性エネルギを更に好適に吸収することができる。
【発明の効果】
【００２３】
以上説明した如く、本発明に係るウエビング巻取装置は、所定のタイミングでフォースリミッタ荷重を変更することができて乗員の慣性エネルギを更に好適に吸収することができ、しかもこれを簡単で小型の構造により実現することができるという優れた効果を有している。
【発明を実施するための最良の形態】
【００２４】
図１には、本発明の実施の形態に係るウエビング巻取装置１０の構成が斜視図にて示されており、図２には、ウエビング巻取装置１０の構成が断面図にて示されている。
【００２５】
ウエビング巻取装置１０は、フレーム１２を備えている。フレーム１２は略コ字型であり、対向する一対の脚片及び各脚片を連結する背片から成り、背片部において車体に固定されている。
【００２６】
フレーム１２の対向する一対の脚片の間には、軸方向が脚片の対向方向とされた筒状のスプール１４が設けられている。このスプール１４にはウエビング１６の一端が係止され、スプール１４の回転により、ウエビング１６がスプール１４に対して巻取り引出し自在となる。
【００２７】
スプール１４の筒内には、一端部（図２の左側端部）にロック部材１８が配置されている。ロック部材１８は、フレーム１２の脚片開口部にスプール１４と同軸的でかつ回転自在に支持されている。ロック部材１８には、ロックプレート２０が接続され、図示しない加速度センサが所定の加速度（減速度）を検知した場合にロックプレート２０がフレーム１２に噛込むことによりロック部材１８の回転が阻止される構成となっている。
【００２８】
また、ロック部材１８には、スプール１４の筒内軸心部分に配置されたトーションバー２２が連結されている。トーションバー２２は、その一端部（図２の右側端部）に形成されたスプライン状の歯２３が嵌合することでロック部材１８に連結されており、ロック部材１８が常にトーションバー２２の一端部と一体に回転するように構成されている。
【００２９】
一方、トーションバー２２の筒内他端部（図２の左側端部）は、スプライン状の歯２４が嵌合することでスプール１４と一体に連結されると共に、ネジ部材２６によって軸線方向の抜け止めが成され、フレーム１２の脚片開口部にスプール１４と同軸的でかつ回転自在に支持されている。ネジ部材２６の端部はフレーム１２の脚片から外方へ突出しており、さらに、ぜんまいばね（図示省略）が連結されている。これにより、スプール１４は常にウエビング１６を巻取る方向に回転付勢されている。しかも、スプール１４は、前述したトーションバー２２の他端部が連結されることにより、ロック部材１８とも連結されている。これにより、通常は、スプール１４、トーションバー２２、及びロック部材１８は一体に回転するよう構成されている。
【００３０】
また、図３及び図４にも示す如く、スプール１４のロック部材１８側の端面には収容溝２８が形成されており、また、スプール１４の内部には収容溝２８に連通する収容孔３０が形成されている。さらに、ロック部材１８とスプール１４との間にはワイヤ３２が掛け渡されている。
【００３１】
図５（Ａ）及び図５（Ｂ）に示す如く、ワイヤ３２はクランク状に屈曲して形成されており、その頭部３４がロック部材１８に設けられた係止孔３６に係止されてロック部材１８に一体に結合されている。また、ワイヤ３２の中間部分はスプール１４の収容溝２８内に収容され、さらに、ワイヤ３２の先端部側は、スプール１４の収容孔３０に移動可能に挿入されている。したがって、このワイヤ３２は、前述の如くロック部材１８のウエビング引出方向回転阻止状態では、スプール１４のウエビング引出方向回転に伴ってスプール１４の収容溝２８（その内側側壁）に沿って巻き取られながら、スプール１４のロック部材１８に対する相対回転に抗する荷重を付与するようになっている。
【００３２】
次に本実施の形態の作用を説明する。
【００３３】
上記構成のウエビング巻取装置１０では、スプール１４とロック部材１８とはトーションバー２２によって連結されており、通常は、これらが一体に回転してウエビング１６の引出し巻取りが自由とされる。
【００３４】
ここで、例えば、車両衝突時等の車両急減速時に所定の加速度（減速度）が検知されると、ロックプレート２０がフレーム１２に噛込み、ロック部材１８のウエビング引出方向の回転が阻止される。このとき、ウエビング引張力がスプール１４を介してトーションバー２２にウエビング引出し方向の回転力として作用する。このため、トーションバー２２が捩れ、ウエビング１６（乗員）に作用する荷重を一定に保ちながら（一定のフォースリミッタ荷重が作用しながら）スプール１４がロック部材１８に対してウエビング引出方向へ回転されてウエビング１６が引出され、トーションバー２２によるエネルギ吸収が果たされる。
【００３５】
またさらに、トーションバー２２が捩れてスプール１４がロック部材１８に対して相対回転する際には、ワイヤ３２がスプール１４の回転に伴って収容溝２８と収容孔３０の出口部分においてしごかれ、スプール１４側面の収容溝２８（その内側側壁）に沿って巻き取られながら（スプール１４の相対回転に抗する荷重を付与しながら）スプール１４が回転する。
【００３６】
したがって、前述のトーションバー２２の捩り荷重に加えてワイヤ３２のしごき荷重がフォースリミッタ荷重としてウエビング１６（乗員）に作用する。すなわち、トーションバー２２の捩り荷重のみによって得られるフォースリミッタ荷重よりも大きなフォースリミッタ荷重が得られ、ウエビング１６引出速度（スプール１４回転速度）を低く押さえて適切なエネルギ吸収が果たされる。
【００３７】
このときのウエビング引張力とスプール１４の回転量とは、図６（Ａ）に示される関係となり、トーションバー２２の捩り荷重のみによって得られるフォースリミッタ荷重（図６（Ａ）のＦ１）より大きなフォースリミッタ荷重（図６（Ａ）のＦ２）が得られるため、ウエビング１６引出速度（スプール１４回転速度）を低く押さえて適切なエネルギ吸収が果たされる。
【００３８】
さらに、スプール１４がロック部材１８に対して所定量回転すると、ロック部材１８とスプール１４との間に掛け渡されたワイヤ３２が全長に亘ってスプール１４の収容孔３０から抜き出されるため、このワイヤ３２のしごきによる荷重の付与が解除される。このため、前述のトーションバー２２の捩り荷重のみがフォースリミッタ荷重としてウエビング１６（乗員）に作用する。すなわち、エネルギ吸収が開始された当初のフォースリミッタ荷重よりもフォースリミッタ荷重が減少する（図６（Ａ）の荷重Ｆ１）。
【００３９】
このように、本実施の形態に係るウエビング巻取装置１０では、所定のタイミングでフォースリミッタ荷重を変更することができる。すなわち、車両急減速の初期にはワイヤ３２により荷重を付加して時間当りのエネルギ吸収量を大きくしてウエビング１６の引出量（乗員の移動量）を抑え、所定のエネルギ吸収後は時間当りのエネルギ吸収量を小さくすることによって乗員への負荷を軽減することができるため、望ましい特性である。特に、エアバッグ装置を備えた車両においては、エアバッグと乗員との接触直前にフォースリミッタ荷重を減少することによって乗員に作用する荷重を減じることが可能で乗員の傷害をさらに軽減することができる。また、エアバッグ装置を備えない車両においても、ステアリングホイールやインストルメントパネル（ダッシュボード）等の車内物と乗員との接触直前にフォースリミッタ荷重を減少することによって乗員に作用する荷重を減じることが可能で乗員の傷害を軽減することができる。
【００４０】
さらにここで、本実施の形態に係るウエビング巻取装置１０では、スプール１４自体にワイヤ３２を巻き付ける構成であるため、すなわち、ワイヤ３２を収容する収容溝２８を単にスプール１４に形成するだけの構成であり、従来の如くワイヤ３２を巻き付けるための特別な部品やその配置スペースが不要であり、他の部品の配置スペースを侵食することがなく、当該ワイヤ３２巻付け部分において装置がスプール軸線方向に大型化することがない。
【００４１】
またしかも、スプール１４（すなわち、エネルギー吸収時に回転する部材）にワイヤ３２を巻き付ける構成であるため、当該スプール１４とワイヤ３２との間には摺動摩擦抵抗が生じる。このため、ワイヤ３２自体の屈曲抵抗のみならずスプール１４との間の摺動摩擦抵抗をもエネルギー吸収荷重として利用（適用）することができ、更なるエネルギー吸収荷重の設定の自由度が大きくなる（所謂、チューニング等がし易くなる）。
【００４２】
このように、本実施の形態に係るウエビング巻取装置１０では、所定のタイミングでフォースリミッタ荷重を変更することができて乗員の慣性エネルギを更に好適に吸収することができ、しかもこれを簡単で小型の構造により実現することができる。
【００４３】
なお、前述した実施の形態に係るウエビング巻取装置１０においては、スプール１４の端面にワイヤ３２を収容する収容溝２８を形成しこの収容溝２８に沿ってワイヤ３２を巻き取る構成としたが、図７に示す如く、当該収容溝２８の内周面（ワイヤ３２巻取り部分の側壁）に、ワイヤ３２との間で摺動摩擦抵抗を生じる摺動摩擦抵抗材３８を設けた構成とすることができる。
【００４４】
すなわち、上記のウエビング巻取装置１０では、スプール１４（すなわち、エネルギー吸収時に回転する部材）にワイヤ３２を巻き付ける構成であるため、当該スプール１４とワイヤ３２との間には摺動摩擦抵抗が生じ、ワイヤ３２自体の屈曲抵抗のみならずスプール１４との間の摺動摩擦抵抗をもエネルギー吸収荷重として利用（適用）することができるが、この点、前述の如く摺動摩擦抵抗材３８を設けた構成とすれば、当該摺動摩擦抵抗材３８の種類や設置範囲等を適宜に設定することで、スプール１４との間の摺動摩擦抵抗を最適なものにすることができ、更なるエネルギー吸収荷重の設定の自由度が大きくなる（所謂、チューニング等がし易くなる）。
【００４５】
これにより、例えば、前記摺動摩擦抵抗材３８によって、ワイヤ３２のしごきによる荷重が大きくなるような設定としたり小さくなるような設定とすることができ、フォースリミッタ荷重（図６（Ａ）のＦ２）の大きさを任意に設定することができる。
【００４６】
また、例えば、前記摺動摩擦抵抗材３８によって、摺動摩擦抵抗（エネルギー吸収荷重）を、ワイヤ３２がスプール１４（収容孔３０）内から全量抜け出して全量巻き取られる直前において徐々に減少するように構成することが可能となる。
【００４７】
ここで、例えばエアバッグ装置を備えた車両においては、エアバッグと乗員との接触直前にフォースリミッタ荷重を減少することによって乗員に作用する荷重を減じることが可能で乗員の傷害をさらに軽減することができるが、図６（Ｂ）に示す如く、前述の如きワイヤ３２のしごきによる荷重付与の解除が瞬間的に行なわれると（Ａ点）、仮に組付け誤差等に起因して、フォースリミッタ荷重が減少する以前にエアバッグが展開してしまう可能性がある。
【００４８】
これに対し、前述の如く構成すれば、ワイヤ３２のしごきにより付与される荷重は、図６（Ａ）に示す如く、ワイヤ３２がスプール１４の収容孔３０内から全量抜け出す直前において徐々に減少されるため、ワイヤ３２のしごきによる荷重の付与が全て解除される以前に（Ａ点以前に）仮に組付け誤差等に起因してエアバッグが展開してしても、フォースリミッタ荷重は少なくとも図６（Ａ）のＦ２よりは小さくなっており、乗員に作用する荷重を減じて乗員の傷害を一層確実に軽減することができる。
【図面の簡単な説明】
【００４９】
【図１】本発明の実施の形態に係るウエビング巻取装置の全体構成を示す斜視図である。
【図２】本発明の実施の形態に係るウエビング巻取装置の全体構成を示す断面図である。
【図３】本発明の実施の形態に係るウエビング巻取装置のスプールに設けられた収容溝及びワイヤの構成を示す側面図である。
【図４】本発明の実施の形態に係るウエビング巻取装置のスプールに設けられた収容溝、収容孔及びワイヤの構成を示す断面図である。
【図５】本発明の実施の形態に係るウエビング巻取装置のワイヤの構成を示し、（Ａ）は平面図であり、（Ｂ）は正面図である。
【図６】（Ａ）は本発明の実施の形態に係るウエビング巻取装置におけるウエビング引張力（フォースリミッタ荷重）とウエビング引出方向回転量との関係を示す線図であり、（Ｂ）は比較例を示す線図である。
【図７】本発明の実施の形態に係るウエビング巻取装置のスプールの変形例を示す図３に対応した側面図である。
【符号の説明】
【００５０】
１０    ウエビング巻取装置
１４    スプール
１６    ウエビング
１８    ロック部材
２２    トーションバー
２８    収容溝
３０    収容孔
３２    ワイヤ
３８    摺動摩擦抵抗材
【図１】
2006205822.tif 000003
【図２】
2006205822.tif 000004
【図３】
2006205822.tif 000005
【図４】
2006205822.tif 000006
【図５】
2006205822.tif 000007
【図６】
2006205822.tif 000008
【図７】
2006205822.tif 000009